(57)【特許請求の範囲】
【請求項１】
前部天板の後端下部に、中央部が前部天板の厚さより薄くなるように凹入する側面視上向きコ字状の基部を備える連結部材を突設し、この連結部材の後部に、後部天板を、その上面が前部天板の上面と等高となるように連結することにより、前部天板と後部天板との間に、横送り用の配線空間を形成したことを特徴とする机等の天板。
【請求項２】
前部天板と後部天板とを、左右方向に適宜の間隔を設けた複数の連結部材により連結することによって、隣接する２個の連結部材間に、上下方向を向く縦送り用の配線空間を形成した請求項１記載の机等の天板。
【発明の詳細な説明】
【０００１】
【発明の属する技術分野】
本発明は、事務用机、袖箱、その他における天板であって、通信線、給電線等の配線の収容部分を設けたものに関する。
【０００２】
【従来の技術】
従来の事務用机には、天板上に載置したＯＡ機器や照明装置等に接続する給電線や通信線等の配線処理を、体裁よく、簡単に行なえるようにするため、天板の後端、もしくは天板と幕板の上端部との間、または側板の内面等に、配線収容用のダクトを設けたものがある（例えば実開平７−１１１９１６号公報参照）。
【０００３】
【発明が解決しようとする課題】
しかし、従来のものは、天板、配線用ダクト、及び幕板等をそれぞれ別個に脚や袖箱等に取付けていたため、組立てに手間がかかるだけでなく、例えば、天板の後端と幕板の上端部との間にダクトを形成し、その上面にカバーを配設するような場合、天板の後端と幕板との間の寸法精度を出しにくく、カバーをうまく装着できなかったり、天板の上面と幕板の上端との平面性が損なわれたりする。
【０００４】
本発明は、天板を前部部材と後部天板とに分けて前後方向に若干離し、かつ両者を、前部天板の厚さより薄い連結部材により連結することにより、天板自体に横送り用の配線空間を形成し、この天板を脚等に組付けるだけで、横送り配線ができるようにし、もって、上述のような問題点を解決した机等の天板を提供することを目的としている。
【０００５】
【課題を解決するための手段】
本発明によると、上記課題は次のようにして解決される。
(１)  前部天板の後端下部に、中央部が前部天板の厚さより薄くなるように凹入する側面視上向きコ字状の基部を備える連結部材を突設し、この連結部材の後部に、後部天板を、その上面が前部天板の上面と等高となるように連結することにより、前部天板と後部天板との間に、横送り用の配線空間を形成する。
【０００６】
（２）  上記（１）項において、前部天板と後部天板とを、左右方向に適宜の間隔を設けた複数の連結部材により連結することによって、隣接する２個の連結部材間に、上下方向を向く縦送り用の配線空間を形成する。
【０００７】
【発明の実施の形態】
以下、本発明の一実施形態を、添付図面を参照して説明する。
図１における（１）は、事務用机の天板で、左方の側脚（２）と右方の袖箱（３）の上端に固着されている。（４）は、側脚（２）と袖箱（３）の後部間に架設された幕板である。
【０００８】
図２以下に示すように、天板（１）は、前部天板（５）と、その後方に横送り用の配線空間（６）と縦送り用の配線空間（７）とを形成するように、若干の間隔をもって配設された後部天板（８）とからなり、前部天板（５）と後部天板（８）とを連結する複数の連結部材（９）（１０）と、横送り用の配線空間（６）の上方を覆う蓋材（１１）とを備えている。
【０００９】
前部天板（５）は、鋼板製の水平基板（１２）と、その上面を覆う化粧板（１３）と、水平基板（１２）の後端部下面に固着された左右方向を向く補強材（１４）とを備えている。
【００１０】
補強材（１４）は、垂直の前片（１４ａ）と後片（１４ｂ）の上端から、それぞれ前方および後方を向く水平のフランジ（１４ｃ）（１４ｃ）を連設した、側断面上向コ字状のもので、後片（１４ｂ）は、前部天板（５）の後端面をなしている。
【００１１】
前記後片（１４ｂ）の要所には、図２に明示するように、方形の差し込み孔（１５）とねじ孔（１６）が穿設され、前片（１４ａ）における差し込み孔（１５）と対応する位置には、ねじ孔（１７）が穿設されている。
なお、ねじ孔（１６）（１７）を単なる通孔として、その前側にナットを溶接しておいてもよい。
【００１２】
後部天板（８）は、前向Ｕ字状の鋼板製の基片（１８）と、その前端の開口部に嵌合して溶接等により固着された断面前向コ字状の結合部材（１９）と、基片（１８）の外面を覆う合成樹脂製の化粧板（２０）とからなっている。基片（１８）の後面には、後述する止めねじ（２８）のねじ止め作業用の複数の作業孔（２９）が穿設されている（図２、図４及び図５参照）。
【００１３】
化粧板（２０）の上下片の前端には、互いに対向して、基片（１８）及び結合部材（１９）の上下縁の前端に係合しうる係合片（２０ａ）（２０ｂ）が連設されており、上方の係合片（２０ａ）の前面の中間には、蓋材（１１）の後端を受支する前向きの水平片（２０ｃ）が突設されている。
【００１４】
連結部材（９）（１０）の中、（９）は両側部用、（１０）は中間部用である。
【００１５】
いずれの連結部材（９）（１０）も、中央部が前部天板（５）の厚さより薄くなるように凹入する側面視上向きコ字状の基部（２１）を備えている。
【００１６】
側部用連結部材（９）における基部（２１）の前壁（２１ａ）の前面の内側端部（天板（１）の中央寄りの端部）と、中間部用連結部材（１０）における基部（２１）の前壁（２１ａ）の前面の左右端部には、前方に向かって突出する細長い箱状の突杆（２２）が連設されている。
【００１７】
突杆（２２）の長さは、補強材（１４）の前片（１４ａ）と後片（１４ｂ）との間の距離と、後述する薄板状の縁材（２３）の垂直片（２３ａ）の厚さとの和とほぼ等しくしてある。
【００１８】
側部用連結部材（９）の基部（２１）の前壁（２１ａ）の前面の外側端部には、前方に突出し、かつ前部天板（５）の側端面に密接しうる支持片（２４）が連設されている。
【００１９】
また、中間部用連結部材（１０）の基部（２１）の上面適所には、種々の配線を前後に仕切るための左右方向を向く複数の仕切り突片（２５）が、前後方向に適宜の間隔をもって立設されている。
【００２０】
縁材（２３）は合成樹脂材料よりなり、その垂直片（２３ａ）には、補強材（１４）の後片（１４ｂ）に穿設された差し込み孔（１５）及びねじ孔（１６）と対応する位置に、それらと同形状の差し込み孔（１５’）及び通孔（１６’）が穿設されている。
【００２１】
前記垂直片（２３ａ）の上端には、後方を向く水平片（２３ｂ）が連設されており、水平片（２３ｂ）の後端より若干前方の上面には、左右方向を向く突条（２３ｃ）が形成されている。
【００２２】
縁材（２３）は、その垂直片（２３ａ）が補強材（１４）の後片（１４ｂ）の後面に、水平片（２３ｂ）が補強材（１４）の後部のフランジ（１４ｃ）の下面に、また突条（２３ｃ）の前面が後部のフランジ（１４ｃ）、基板（１２）及び化粧板（１３）の後端にそれぞれ密接するようにして、接着剤等により前部天板（５）の後端に固着されている。
【００２３】
各連結部材（９）（１０）の突杆（２２）を、差し込み孔（１５’）（１５）に嵌合し、基部（２１）の前壁（２１ａ）を縁材（２３）の垂直片（２３ａ）に密接させて、前壁（２１ａ）を、通孔（１６’）へ挿入してねじ孔（１６）へ螺合した止めねじ（２６）をもって、前部天板（５）の後面に固着するとともに、各突杆（２２）の先端を、補強材（１４）の前片（１４ａ）の後面に密接させて、ねじ孔（１７）に螺合する止めねじ（２７）をもって前片（１４ａ）に固着し、さらに側部用連結部材（９）の側片（２４）を前部天板（５）の側端面に密接させて、適宜ねじ（図示略）止めし、また基部（２１）の後端部を、後部天板（８）における結合部材（１９）に嵌合して、止めねじ（２８）により固着することにより、後部天板（８）を、その上面が前部天板（５）の上面と等高となるようにして、前部天板（５）に強固に結合している。
【００２４】
このようにして、前部天板（５）と後部天板（８）とを、複数の連結部材（９）（１０）により連結することにより、両天板（５）（８）の間で、かつ基部（２１）の上方に横送り用配線空間（６）が、また左右の連結部材（９）（１０）の間に、横送り用の配線空間（６）と連続する下向きの縦送り用の配線空間（７）が形成されている。
【００２５】
蓋材（１１）は、その前後の端部を縁材（２３）の突条（２３ｃ）より後方の水平片（２３ｂ）上と、後部天板（８）における化粧板（２０）の水平片（２０ｃ）上に載置し、そのとき、下面適所に突設したフック片（１１ａ）が、両水平片（２３ｂ）（２０ｃ）の縁に係合するようにして天板（１）に装着することにより、横送り用配線空間（６）を覆うようにしてある。
この実施形態では、前部天板（５）の後端に縁材（２３）を固着してあるが、これを省略して実施することもある。
【００２６】
【発明の効果】
(ａ) 請求項１記載の発明においては、前部天板と後部天板とを、中央部が前部天板の厚さより薄くなるように凹入する側面視上向きコ字状の基部を備える連結部材により連結することによって、前部天板と後部天板との間に、連結部材の基部の上方を通る横送り用の配線空間を形成することができ、天板を、脚や袖箱等の天板支持体に取付けるだけで、横送り配線を行なうことができるとともに、他の部材との位置関係を考慮することなく、配線空間の上端開口部の寸法精度を出すことができ、その部分にカバー等を装着する際に、寸法の狂いが生じるおそれが少ない。
また、天板自体に配線ダクトとなる空間が組み込まれているので、配線ダクトを別途脚等の支持体に組付ける必要がなく、机等の組み立てが容易であり、しかも体裁がよい。
【００２７】
（ｂ）  請求項２記載の発明によると、横送り用配線空間と連続した縦送り用空間を、任意の個所に、簡単にしかも体裁よく形成することができる。
【図面の簡単な説明】
【図１】本発明を適用した机の正面図である。
【図２】図１の机の要部を示す後方より見た分解斜視図である。
【図３】同じく、蓋材を外したときの天板の平面図である。
【図４】蓋材を装着したときの図３のＩＶ−ＩＶ線に沿う拡大断面図である。
【図５】蓋材を外したときの図３のＶ−Ｖ線に沿う拡大断面図である。
【符号の説明】
（１）天板
（２）側脚
（３）袖箱
（４）幕板
（５）前部天板
（６）横送り用の配線空間
（７）縦送り用の配線空間
（８）後部天板
（９）（１０）連結部材
（１１）蓋板
（１２）水平基板
（１３）化粧板
（１４）補強材
（１４ａ）前片
（１４ｂ）後片
（１４ｃ）フランジ
（１５）（１５’）差し込み孔
（１６）（１７）ねじ孔
（１６’）通孔
（１８）基片
（１９）結合部材
（２０）化粧板
（２０ａ）（２０ｂ）係合片
（２０ｃ）水平片
（２１）基部
（２１ａ）前壁
（２２）突杆
（２３）縁材
（２３ａ）垂直片
（２３ｂ）水平片
（２３ｃ）突条
（２４）支持片
（２５）仕切り突片
（２６）止めねじ
（２７）ねじ孔
（２８）止めねじ
（２９）作業孔
【図１】
0003616975.tif 000002
【図２】
0003616975.tif 000003
【図３】
0003616975.tif 000004
【図４】
0003616975.tif 000005
【図５】
0003616975.tif 000006